(57)【要約】  本発明の目的は、放送サービスの受信に対する契約の更新のために必要な帯域幅を減らす方法を提案することである。この目的は、セキュリティモジュールを含む少なくとも１つの受信機用の複数のプロダクトに対する契約の割当及び管理のための方法により達成され、このモジュールは固有識別アドレスＵＡ０を含み、この方法は管理センターにより実施され、次の段階を含む。複数の組の受信契約者識別番号ＡＢを規定する段階であって、各組は１つのプロダクトと関連付けられる段階、一組の受信契約者識別番号を受信契約者のグループに分割する段階、新しい受信契約者の初期化時に、所望のプロダクトに関連した利用できる受信契約者識別番号ＡＢｋを検索する段階、この利用できる番号が以前既に割り当てられたかどうかを決定する段階、そうである場合は、禁止期間が以前の契約の終了と新しい契約の開始の間に経過したかどうかを決定し、もしそうでなければ、新しい番号を検索する段階、新しい受信契約者の固有識別アドレスＵＡ０に従ってアドレス指定され、前記プロダクトに対する権利と同様に彼のプロダクトの受信契約者識別番号ＡＢｋを含む、彼への初期化メッセージを送る段階、受信契約者識別番号ＡＢｋを含むグループに対するプロダクトのためのグループ権利更新メッセージを作成する段階であって、このメッセージは、この受信契約者ＡＢｋを含むグループ・ヘッダ及びグループ・メンバーの各々を個々にアドレス指定することを可能にするビットマップから成る段階、ビットマップを圧縮し、圧縮したビットマップをメッセージに加える段階、及び更新メッセージを送る段階。【選択図】  図１
2011523273.tif 000002
【特許請求の範囲】
【請求項１】
セキュリティモジュールを含む少なくとも１つの受信機用のペイテレビ提供に対する契約の割当及び管理のための方法であり、このモジュールは固有識別アドレス（ＵＡ０）を含み、該方法は管理センターにより実施される方法であって、
前記ペイテレビ提供を複数のプロダクトに分割する段階であって、各プロダクトは固有の契約と関連付けられる段階と、
一組の受信契約者識別番号（ＡＢ）を規定する段階であって、各組は１つのプロダクトと関連付けられる段階と、
一組の受信契約者識別番号を受信契約者のグループに分割する段階と、
新しい契約の初期化時に、所望のプロダクトに関連した利用できる受信契約者識別番号ＡＢｋを検索する段階と、
この利用できる番号が以前既に割り当てられたかどうかを決定する段階と、
そうである場合は、禁止期間が以前の契約の終了と新しい契約の開始との間に経過したかどうかを決定し、もしそうでなければ、新しい番号を検索する段階と、
前記新しい受信契約者の固有識別アドレス（ＵＡ０）に従ってアドレス指定され、前記プロダクトに対する契約権利と同様に彼のプロダクトの前記受信契約者識別番号（ＡＢｋ）を含む、彼への初期化メッセージを送る段階と、
前記受信契約者識別番号ＡＢｋを含む前記グループに対する前記プロダクトのためのグループ権利更新メッセージを作成する段階であって、このメッセージは、この受信契約者ＡＢｋを含む前記グループ・ヘッダ及び前記グループの各メンバーを個々にアドレス指定することを可能にするビットマップから成る段階と、
前記ビットマップを圧縮し、前記圧縮したビットマップを前記メッセージに加える段階と、
前記更新メッセージを送る段階と、
を含む方法。
【請求項２】
前記セキュリティモジュールによって少なくとも１つのプロダクトのための少なくとも１つのグループ権利更新メッセージを受信する段階であって、前記セキュリティモジュールは前記グループのメンバーであり、このメッセージは前記プロダクトに対する権利の有効期限及び現在の日付を含む段階と、
前記グループ権利更新メッセージが前記セキュリティモジュールに対する前記権利の前記更新を許可することを確認する段階と、
そうである場合は、前記現在の日付は禁止期日前であることを確認する段階と、
前記権利の前記有効期限を前記受信した有効期限に置き換える段階と、
前記新しい禁止期日が前記新しい有効期限の後であるように、禁止期間を前記現在の禁止期日に加えることによって、新しい禁止期日を生成する段階と、
を更に含む請求項１記載の契約の割当及び管理のための方法。
【請求項３】
前記新しい禁止期日の前記生成が、
所定の期間を前記現在の禁止期日に加えることによって、新しい禁止期日を前記管理センターで算出する段階と、
前記新しい禁止期日を前記更新メッセージに挿入する段階と、
前記セキュリティモジュールによって前記更新メッセージから前記新しい禁止期日を抽出し、前記セキュリティモジュール内の前記有効期限を更新する段階と、
を含むことを特徴とする請求項２記載の契約の割当及び管理のための方法。
【請求項４】
前記新しい禁止期日を更新する前記段階が、
前記管理センターによって禁止期間を決定し、前記禁止期間を前記権利初期化メッセージに挿入する段階と、
前記セキュリティモジュールによって前記初期化メッセージの前記禁止期間を抽出し、それを格納する段階と、
前記有効期限の前記更新時に、前記新しい有効期限と前記禁止期間とを合計することによって前記新しい禁止期日を算出する段階と、
前記新しい禁止期日を前記セキュリティモジュールに格納する段階と、
を含むことを特徴とする請求項２記載の契約の割当及び管理のための方法。
【発明の詳細な説明】
【技術分野】
【０００１】
[0001] 本発明は、条件付きのアクセスを要する放送サービスの一組の受信契約者の管理に関する。
【背景技術】
【０００２】
[0002]視覚又は音声サービスは、受信機、例えば家庭用受信機（セットトップボックス）又は移動受信機に、データフローの形式で送信される。例えば、データフローは、証券取引所データ・サービス、天気予報、汎用テレビ、スポーツ大会放送等であってもよい。これらのコンテンツは、ペイテレビ・デコーダ、コンピュータ又は携帯電話、「パームトップ」、ＰＤＡ、ラジオ、テレビ、マルチメディア端末のようなユーザー・ユニット上で放送可能である。
【０００３】
[0003]デジタル・データフローは、使用を制限してこの種の使用の条件を規定することが可能であるように暗号化される。この暗号化は、この種の制御語を発見することを目的とするいかなる攻撃も思いとどまらせるために、一定間隔（５〜３０秒）で変えられる制御語により達成される。
【０００４】
[0004]ユーザー・ユニットが制御語によって暗号化されたデータフローを解読できるために、後者は、システムで使用するキーによって暗号化された制御メッセージ（ＥＣＭ）で、データフローと無関係に送られ、管理センター（ＣＡＳ）とユーザー・ユニットのセキュリティモジュールとの間の伝送を可能にする。実際、セキュリティ動作は、改ざん防止装置であるセキュリティモジュール（ＳＣ）で行われる。このモジュールは、受信機の権利と関連したメッセージを処理する。
【０００５】
[0005]制御メッセージ（ＥＣＭ）の解読時に、考慮したデータフローに対するアクセス権は、セキュリティモジュール（ＳＣ）で確認される。制御語は確認が肯定的である時にのみ、ユーザー・ユニットに平文で戻される。
【０００６】
[0006]当業者には周知のように、セキュリティモジュールは、４つの異なった形式のいずれかによって基本的に実現できる。そのような形式の一つは、マイクロプロセッサ・カード、スマートカード、又は更に一般的には、電子モジュール（キー又はバッジ等の形状を有する）である。この種のモジュールはデコーダに接続可能であり、通常取り外し可能である。電気的接触を有する形式が最も用いられるが、例えばタイプＩＳＯ  １４４４３の接触のないバージョンも使われる。それは、ＳＤカード、マイクロＳＤ、ＭＭＣ、メモリスティック、又はその他の形式のメモリカードという形式をとることもできる。
【０００７】
[0007]第２の公知の形式では、セキュリティモジュールは電子回路パッケージに集積化され、通常、デコーダー・ボックスに永続的で取り外し不可能な方法で取り付けられる。代案はＳＩＭモジュールコネクタのようなコネクタに取り付けた回路パッケージで作られる。
【０００８】
[0008]第３の形式では、セキュリティモジュールは、例えばデコーダの暗号解読モジュール又はデコーダのマイクロプロセッサにおいて、別の機能も有する集積回路パッケージに集積化される。
【０００９】
[0009]第４実施形態において、セキュリティモジュールは物理的に実現されないが、その機能はソフトウェアの形式で実行される。４つのケースにおいて、セキュリティ・レベルが異なるにもかかわらず、機能が同一であると想定すれば、我々は、その機能が実現される方法がどうであれセキュリティモジュール、又はこのモジュールがとる形式を参照できる。
【００１０】
[0010]受信権利は、通常、セキュリティモジュール（ＳＣ）にロードされる許可メッセージ（ＥＭＭ）により管理される。他の可能性、例えば解読キーを送ることも可能である。
【００１１】
[0011]この種のセキュリティモジュールが初期化段階の間にメモリにロードされる固有識別番号ＵＡ０を含むことはよく知られている。テレビ・サービスへの契約時に、セキュリティモジュール（ＳＣ）は、グループアドレッシング方法で後に使われる受信契約者識別番号ＵＡ１を受信する。
【００１２】
[0012]受信契約者のグループのサイズが５１２である実施例によれば、受信契約者識別番号ＵＡ１の９つの下位ビットは無視され、受信機は第９ビットの重要度より高い重要度のビットに基づいてＵＡ１のアドレスをフィルタに通す。
【００１３】
[0013]それはグループベースでセキュリティモジュールをアドレス指定するのに役立つ受信契約者識別番号ＵＡ１であり、個々のアドレス指定が必要である場合は、固有番号ＵＡ０が参加する。これは受信契約変更、例えば新プロダクトの受信契約権のセキュリティモジュールへの記録の際のケースである。
【００１４】
[0014]このように、受信機は、固有識別番号ＵＡ０又は受信契約者識別番号ＵＡ１をヘッダに含むメッセージを通すために、そのメッセージ・フィルタを設定する。これらの番号は、そのフィルタを初期化するために、セキュリティモジュールによって受信機に送信される。
【００１５】
[0015]契約管理は権利更新の原則に従って管理される。即ち、権利は有効期限と関連があり、その後では、セキュリティモジュールは、彼の権利を有効であるとみなすことを拒否する。受信契約者が間断なく彼の契約を利用し続けることが可能であるために、従って、有効期限をより後まで延期する権利更新メッセージを送信することが必要である（受信契約者がそれを受信する権利を有する限りにおいて）。
【００１６】
[0016]実際には、更新の期間は通常は１ヵ月であり、それはすべての受信機が１ヵ月以内に更新メッセージを受信しなければならないことを意味する。我々は放送環境にあるので、管理センターは受信機がいつスイッチオンされるかわからず、これはメッセージが何度も繰り返される理由である。
【００１７】
[0017]送られるメッセージの数を減らすために、個々のアドレス指定よりもむしろグループ・アドレス指定を使用することが提案されて来た。契約のための５つのプロダクトを提案しているプロバイダの例を挙げる。その場合、グループ当たり５つの権利更新メッセージを送ることが必要であり、各メッセージはプロダクトの更新条件を含む。すべてのグループ・メンバーがこのメッセージに関連したプロダクトを契約するわけではないので、１つのグループ・メッセージは、グループの各メンバー専用の１つのビットを有するタイプ・ビットマップのフィールドを含む。１つのグループが２５６人のメンバーを含む場合は、ビットマップ・フィールドは２５６ビットを含み、各ビットは特定のセキュリティモジュールに帰する。
【００１８】
[0018]セキュリティモジュールは、グループ・メッセージの受信時に、更新コマンドがそれを意図しているかどうかを知るために、それ自体のビットが１にあるかどうかを最初に確認する。ビットが０にある場合は、それは更新制御を無視するか、又はこのメッセージにより考慮される受信契約権利さえクリアする。
【００１９】
[0019]この種のメッセージが暗号化され、セキュリティモジュールだけがそれを解読するためにキーにアクセスできることは明らかである。更に、メッセージは、指定された当局だけがこの種のメッセージを生成できることを保証している認証データを含む。これは非対称キー暗号作成法による。
【先行技術文献】
【特許文献】
【００２０】
【特許文献１】米国特許第６，４６６，６７１号明細書
【発明の概要】
【発明が解決しようとする課題】
【００２１】
[0020]発生する問題のうちの１つは、もちろん、送られる多数の更新メッセージ、従って利用可能帯域幅の使用であり、後者は視聴覚サービスのために最も使われる。５つのプロダクトに関する我々の実施例において、各受信契約者は１つのプロダクトに契約しており、プロダクトが受信契約者に一様に配給されると想定すれば、ビットマップは１で２０％まで、０で８０％まで平均して満たされる。これは理想的状態であり、むしろありそうもない。ビットマップは、いくつかのグループが特定のプロダクトを契約した多数の参加者を有し、他のグループが同じプロダクトを契約した少数の参加者を有するという、予測不可能な構造を実際に有する。このエントロピーはビットマップの圧縮を非常に困難にする。
【００２２】
[0021]二百万人超の受信契約者が管理されなければならない時に、必要な帯域幅を推測できる。方法は、従って、メッセージの数を減らすためにグループのサイズを増大する（１０２４以上）ことにあるが、その場合１０２４より多くのビットマップを含むことができるようにメッセージのサイズを増大することが必要であり、このようにしてこれらのメッセージによって使用される帯域幅を増大し、グループ・メッセージ技術により達成される利得を低下させる効果を有する。グループ・サイズの増大が部分解に過ぎないことが分かる。
【００２３】
[0022]観察された別の問題は、契約してから数ヵ月後に解約するクライアント・ベースの非持続性率である。この種の受信契約者に最初に割り当てられた契約番号はもはや使用できない。実際、権利は契約終了の時点で第１受信機（又はセキュリティモジュール）にまだ存在する。アクセス制御システムを回避するために、所有者は、消去コマンドを示すゼロをビットマップに含むメッセージの受信を中断すればよい。この契約番号が数ヵ月後に第２受信機に更に再割当される場合は、第１受信機のスイッチを入れるだけで更新メッセージが受信され、権利が不当に更新され、視聴覚サービスの不当な受信を可能にする。
【００２４】
[0023]これを回避するために、受信契約者に割り当てられる番号はその満了後にもはや使われない。新しい受信契約者の出現は新しいグループの創設につながり、その一方で、以前のグループは縮小し、それにもかかわらずグループ・メッセージを送る必要があるほんの少数の受信契約者だけを含む。
【００２５】
[0024]特許文献１は、膨大な数の更新メッセージをもたらす方法の例である。
【課題を解決するための手段】
【００２６】
[0025]本発明の目的は、放送サービスの受信に対する契約の更新のために必要な帯域幅を減らす方法を提案することである。
【００２７】
[0026]この目的は、セキュリティモジュールを含む少なくとも１つの受信機用の複数のプロダクトに対する契約の割当及び管理のための方法により達成され、このモジュールは固有識別アドレスＵＡ０を含み、この方法は管理センターにより実施され、次の段階を含む。
複数の組の受信契約者識別番号ＡＢを規定する段階であって、各組はプロダクトと関連付けられる段階、
一組の受信契約者識別番号を受信契約者のグループに分割する段階、
新しい受信契約者の初期化時に、所望のプロダクトに関連した利用できる受信契約者識別番号ＡＢｋを検索する段階、
この利用できる番号が以前既に割り当てられたかどうかを決定する段階、
そうである場合は、禁止期間が以前の契約の終了と新しい契約の開始との間に経過したかどうかを決定し、もしそうでなければ、新しい番号を検索する段階、
新しい受信契約者の固有識別アドレスＵＡ０に従ってアドレス指定され、前記プロダクトに対する権利と同様に彼のプロダクトの受信契約者識別番号ＡＢｋを含む、彼への初期化メッセージを送る段階、
受信契約者識別番号ＡＢｋを含むグループに対するプロダクトのためのグループ権利更新メッセージを作成する段階であって、このメッセージはこの受信契約者ＡＢｋを含むグループ・ヘッダ及びグループ・メンバーの各々を個々にアドレス指定することを可能にするビットマップから成る段階、
ビットマップを圧縮し、圧縮したビットマップをメッセージに加える段階、及び
更新メッセージを送る段階。
【００２８】
[0027]プロダクトによって、我々は、テレビ・チャンネル、複数のチャンネル又はテレビ・イベント・シリーズ（例えばフットボール・シーズン、連続番組、エピソード）に対する契約を表わす。
【００２９】
[0028]このように、管理センターは、すべてのプロダクトに共通の受信契約者番号の範囲ではなく、プロダクト当たりの特定の範囲を管理する。従って、プロダクトの受信契約者を構成しているグループは、原則として一杯である。都合のよいことに、グループ・メッセージはグループのメンバーの大多数に影響を及ぼす。別の利点は、それがほとんどの場合にアクティブ・ビット（１にセットされたビット）により形成されるので、ビットマップが圧縮可能であるということである。
【００３０】
[0029]グループが一杯でないことになる理由は以下である。
新しいクライアントの出現時の新しいグループの創設、及び
グループのメンバーによる取り消し、この数はまだ禁止期間内にある。
【００３１】
[0030]本発明は、以下の詳細な説明により、及び非限定的な実施例として与えられる添付の図面を参照してよりよく理解される。
【図面の簡単な説明】
【００３２】
[0031]
【図１】図１は、有効期限前の更新のケースを示す。
【図２】図２は、有効期限後の更新のケースを示す。
【図３】図３は、更新メッセージが禁止期日後に届いたケースを示す。
【発明を実施するための形態】
【００３３】
[0032]本発明は共に協力する２つの要素に分けられる。
【００３４】
[0033]本発明の第１要素は管理センターで実行され、契約の締結時の受信契約者番号の割当方法に基づく。この方法は、受信契約者のためのプロダクトの変更又は次の契約の締結でも実行される。
【００３５】
[0034]プロダクトによる範囲番号の最初の定義時に、範囲はグループ（例えば、２０４８のメンバー）に分けられ、各番号は管理データと共にデータベース内でインデックスを付けられる。これらのデータのうちの１つは上述の所定の禁止期間に関する。
【００３６】
[0035]この期間は、以下の方法に従って、セキュリティモジュール、グループのメンバーにより用いられる。
セキュリティモジュールによって、少なくとも１つのプロダクトのための少なくとも１つのグループ権利更新メッセージを受信する段階であって、前記セキュリティモジュールは前記グループのメンバーであり、このメッセージは前記プロダクトに対する権利の有効期限及び現在の日付を含む段階、
グループ権利更新メッセージが前記セキュリティモジュールに対する権利の更新を許可することを確認する段階、
そうである場合は、現在の日付は禁止期日前であることを確認する段階、
前記権利の有効期限を受信した有効期限に置き換える段階、及び
新しい禁止期日が新しい有効期限の後であるように、禁止期間を現在の禁止期日に加えることによって新しい禁止期日を生成する段階。
【００３７】
[0036]このモジュールは、固有アドレスＵＡ０及び誰かがプロダクトＸのための契約を取得する時に割り当てられる少なくとも受信契約者アドレスＡＢｘを含む。従って、モジュールは、受信契約者がプロダクトを契約するのと同じ数の受信契約者アドレスを受信する。
【００３８】
[0037]個人向けメッセージ（ＵＡ０にアドレス指定される単一メッセージ）又はグループ・メッセージ（ＡＢｎにアドレス指定される共有メッセージ）を送るために用いるのは、このアドレス指定方法である。グループ・メッセージは、受信機によって、このセキュリティモジュールの受信契約者が契約したプロダクトの識別と比較されるプロダクト識別子をそのヘッダに含む。受信契約者のセキュリティモジュールは、この種のメッセージを受信するための、そのプロダクトのためのこのグループのメンバーでもある。このメッセージがグループ（通常２５６、５１２、１，０２４、又は２, ０４８人の参加者から成る）にアドレス指定されるので、このメッセージもビットマップの形式を有する各セキュリティモジュールに関係しているデータを含む。５１２ビットがメッセージに配置され（５１２人の参加者に対する実施例の場合）、各セキュリティモジュールは、どのビットがそれに関するものであるかについて知っている。メッセージはビットマップの開始アドレスを含み、ビットマップの５１２のビットによって、開始アドレスに続く５１２人の参加者を明確にアドレス指定できる。このように、メッセージに含まれるコマンドは、ビットマップにより指定されるグループのサブセット（又は全て）にアドレス指定される。これに従って、権利が更新されなければならないという場合において、ビットマップのビットは、更新が許可されるグループのすべてのメンバーに対して１に、他に対してゼロにセットされる。
【００３９】
[0038]更新メッセージの受信時に、一旦そのグループに対するメッセージを受信するならば、セキュリティモジュールは、メッセージのコマンドがそれにアドレス指定されているかどうかをビットマップで確認する。一旦この確認がなされると、禁止期日は、このコマンドがセキュリティモジュールにまだあてはまるかどうかを決定するために確認される。
【００４０】
[0039]更新メッセージが比較のために使われる現在の日付を含む点に留意する必要がある。
【００４１】
[0040]図１は、メッセージの現在の日付が権利の有効期限ＲＤａｔｅの終了の前に入るケースを示す。更新メッセージの現在の日付は有効期限の前にあり、権利は、２番目の線に図示するように、禁止期日ＥＤａｔｅと同様に延期される。この権利に関連したサービス（又はプロダクト）の許可期間は、中断が起こらなかったことを示している灰色で例示される。
【００４２】
[0041]図２は、更新メッセージの現在の日付が、有効期限ＲＤａｔｅの後であるが禁止期日ＥＤａｔｅの前に入るケースを示す。第１有効期限から更新メッセージＭＳＧの到着まで、サービスに対する許可が中断されるということを灰色の部分で知ることができる。一旦メッセージが処理されると、許可は新しい有効期限ＲＤａｔｅまで可能になる。
【００４３】
[0042]図３において、我々は更新メッセージの現在の日付が禁止期日ＥＤａｔｅの後にあるケースを見る。この場合、更新は却下され、最後の有効期限はサービスに対する許可の終了を規定する。
【００４４】
[0043]実施形態によれば、ビットマップのこのセキュリティモジュールに関したビットがゼロにセットされる更新メッセージは、メッセージの現在の日付に対する有効期限ＲＤａｔｅの更新を生じ、これによって権利に関連した許可を終わらせる。実際、制御語及びこの制御語を解放するために必要な権利の説明を含む次の制御メッセージは、有効期限ＲＤａｔｅの後である日付を含む。
【００４５】
[0044]実施形態によれば、セキュリティモジュールは有効期限ＲＤａｔｅである単一の日付を含む。更に、それは、例えば、更新メッセージが受信される時にセキュリティモジュールが禁止期日を算出できる日又は月で規定される禁止期間を含む。禁止期日は、このように、有効期限ＲＤａｔｅと禁止期間との合計として算出される。
【００４６】
[0045]それは、このように更新動作の間に２つの期日を更新する必要がない。禁止期間は、例えば権利の第一のローディングを伴う、セキュリティモジュールの初期化時に規定できる。
【００４７】
[0046]本発明の別の実施形態によれば、所定期間を現在の禁止期日に加えることによる新しい禁止期日の更新は管理センターで行われ、新しい禁止期日は更新メッセージに含まれる。新しい禁止期日はメッセージのために引き抜かれ、セキュリティモジュールに格納される。
【００４８】
[0047]セキュリティモジュールで動作する上述の方法のおかげで、所与の受信契約者の識別番号を再利用することが、すぐに可能である。受信契約者が契約を６月３０日に終了するという例を挙げる。有効期限ＲＤａｔｅは、このように以前の期日、例えば５月３０日の更新によって６月３０日に決定される。６月中に送られる、セキュリティモジュールが帰属するグループ宛てのグループ・メッセージは、このセキュリティモジュールに関するビットマップのビットにゼロを含む。更新は、その場合、６月中に行われない。禁止期日は、有効期限に関して１ヵ月の差を有する７月３０日に決定される（１ヵ月＝禁止期間）。
【００４９】
[0048]管理システムは、このように受信契約者識別番号ＡＢｋを別の受信契約者のものであると判定することができ、７月３０日以後、更新メッセージがこのセキュリティモジュール（１に対するビットマップ）により受信される場合であっても、更新が行われないということを知っている。
【００５０】
[0049]このように、この機構のおかげで、グループのメンバーが概して能動的な受信契約者であり、固有の条件は、禁止期日が過ぎている時間の間に契約を終了していた受信契約者の識別番号を確保していることである。所与のプロダクトに関連した新しい受信契約者識別番号の割当時に、選択権が閾値に達していなかったグループに与えられ、ビットマップの効果的な圧縮を可能にする。
【００５１】
[0050]ビットマップが有効に圧縮されるためには、それは均質でなければならない。このように、ビットマップの多数の連続的な０は、均質の一因となる。同様に、ビットマップの連続的な部分が１で満たされ、他の部分が０で満たされるので（００００００００．．．０００００１１１１１．．．１１１１１１１）、線形に満たされるグループ、前のものに続く各受信契約者（受信契約者識別番号が関する限り）は、最適な圧縮を可能にする。
【００５２】
[0051]それにより、このグループのビットマップは、グループの大きいサイズ、２, ０４８ビット超（２５６バイト超）にもかかわらず、数バイトに有効に圧縮できる。
プロダクト
【図１】
2011523273.tif 000003
【図２】
2011523273.tif 000004
【図３】
2011523273.tif 000005
【国際調査報告】
2011523273.tif 000006
2011523273.tif 000007
2011523273.tif 000008
2011523273.tif 000009
2011523273.tif 000010